(57)【要約】      （修正有）【課題】３か月以上の月を同時に表示でき、かつ、新しく表示される月がカレンダーの上段から下段に向かって順番に表示させることができる月めくりカレンダーを提供する。【解決手段】月めくりカレンダー２２は、第１頁Ｐ１すなわち「１月」を表示する用紙を切り離すとその月の３か月後の月「４月」の月が表れ、「２月」を表示する用紙を切り離すと「５月」の月が表れ、「３月」を表示する用紙を切り離すと「６月」の月が表れるものである。これにより、上段の用紙からその用紙の下段の用紙を切り離すことにより、新しく表示される月を常にカレンダー２２の上段から下段に向かって順番に表示させることができ、見易い月めくりカレンダーを提供することができる。【選択図】図２
2013119185.tif 000002
【特許請求の範囲】
【請求項１】
第１頁が一月分の日付を表示した用紙１枚の紙からなり、第２頁、…、第ｎ頁（ｎは３以上の整数）がそれぞれ前記用紙を２枚、…、ｎ枚連ねた紙からなり、第ｎ＋１頁以降の頁が前記用紙をｎ枚連ねた紙からなるカレンダーであって、前記用紙を切り離したときに表れる用紙に、その切り離した用紙に表示される月のｎか月後の月を表示することを特徴とする月めくりカレンダー。
【請求項２】
前記月めくりカレンダーの日付欄にメモ記入欄を設けることを特徴とする請求項１記載の月めくりカレンダー。
【発明の詳細な説明】
【技術分野】
【０００１】
本発明は、３か月以上の月を同時に表示する月めくりカレンダーに関するものである。
【背景技術】
【０００２】
従来使用されている月めくりカレンダーには、一月分の日付を表示した一枚の用紙を１月から１２月まで作成し、その用紙を１月から１２月まで順に重ねて綴じたものがあった。また、そのカレンダーの日付欄にその日のスケジュールを書き込むことができるメモ記入欄が設けているものもある（図７）。
図７の月めくりカレンダー１０は、「１月」乃至「１２月」の日付を表示した１２枚の用紙１２を重ねて綴じ部１４で綴じたものである。「１月」の日付を表示した用紙１２を綴じ部１４から切り離すと、「２月」の日付を表示した用紙１２が表れるようになっている。綴じ部１４に形成された穴１４ａは、壁に設けた突起部に掛けるものであり、壁に月めくりカレンダー１０を掛けるためのものである。図７の月めくりカレンダー１０を構成する用紙１２の日付欄１６には、その月のスケジュールを書き込むためのメモ記入欄１８が設けられている。
【０００３】
現在、３か月分の月を同時に表示できるカレンダーが提供されている（例えば、特許文献１）。
【先行技術文献】
【特許文献】
【０００４】
【特許文献１】特開２００４−１７３５１（明細書[０００５]、図３（ｂ））
【発明の概要】
【発明が解決しようとする課題】
【０００５】
特許文献１に記載のカレンダー１０は、一月分の日付を表示した用紙１２を上下方向（又は縦方向）に３か月分連ねた紙Ｘ１，…，Ｘ４、全４頁からなるカレンダーである（図８（ａ）乃至（ｄ））。図８（ａ）の第１頁の紙Ｘ１は、「１月」，「２月」，「３月」の用紙１２を上から「３月」，「２月」，「１月」の順に連ねて形成したものである。図８（ｂ）の第２頁の紙Ｘ２は「６月」，「５月」，「４月」の順、図８（ｃ）の第３頁の紙Ｘ３は「９月」，「８月」，「７月」の順、図８（ｄ）の第４頁（最終頁）の紙Ｘ４は「１２月」，「１１月」，「１０月」の順にそれぞれ連ねて形成したものである。
なお、用紙１２の切り離し部分には、ミシン目２０が設けられている。また、紙Ｘ１，…，Ｘ４の上部には綴じ代１４ｂが形成され、紙Ｘ１，…，Ｘ４は綴じ部１４に綴じられている。
【０００６】
特許文献１に記載のカレンダー１０においては、第１頁Ｘ１（図８（ａ）、図９（ａ））の下段の「１月」の用紙１２を切り離すと、第２頁Ｘ２（図８（ｂ））の下段の「４月」の用紙１２が表れ、カレンダー１０には上段から「３月」，「２月」，「４月」の順に３か月分の月が同時に表示されるようになっている（図９（ｂ））。次に、第１頁Ｘ１の中段の「２月」の用紙１２を切り離すと、第２頁Ｘ２（図８（ｂ））の中段の「５月」の用紙１２が表れ、上段から「３月」，「５月」，「４月」の順に３か月分の月が表示される（図９（ｃ））。次に、第１頁Ｘ１の上段の「３月」の用紙１２を切り離すと、第２頁Ｘ２（図８（ｂ））の上段の「６月」の用紙１２が表れ、上段から「６月」，「５月」，「４月」の順に３か月分の月が表示される（図９（ｄ））。このように、特許文献１に記載のカレンダー１０は、用紙１２を切り離すことにより、その切り離した用紙１２の月の３か月後の月（新しく表示される月）を表示するものであり、常に３か月分の月を同時に表示できるものである。カレンダー１０により、３か月先の日付やスケジュールを容易に確認できる。
しかし、特許文献１に記載のカレンダー１０は、図９（ａ）〜（ｄ）に表れるように、用紙１２を下段から中段、上段の順に切り離して使用するものであるから、新しく表示される月はカレンダーの下段から上段に向かって順番に表れる。そのため、カレンダーの月を確認する場合、常にカレンダーを下から上に見なければならず、見難く不便であった。
【０００７】
本発明は、上記問題を解決するものであって、３か月以上の月を同時に表示でき、かつ、新しく表示される月がカレンダーの上段から下段に向かって順番に表示される月めくりカレンダーを提供することを目的とするものである。
【課題を解決するための手段】
【０００８】
本発明の月めくりカレンダーは、第１頁が一月分の日付を表示した用紙１枚の紙からなり、第２頁、…、第ｎ頁（ｎは３以上の整数）がそれぞれ前記用紙を２枚、…、ｎ枚連ねた紙からなり、第ｎ＋１頁以降の頁が前記用紙をｎ枚連ねた紙からなるカレンダーであって、前記用紙を切り離したときに表れる用紙に、その切り離した用紙に表示される月のｎか月後の月を表示するようにしたものである。
また、前記月めくりカレンダーの日付欄にメモ記入欄を設けるようにしたものである。
【発明の効果】
【０００９】
本発明の月めくりカレンダーは、ｎか月分の月を同時に表示するものであり、カレンダーの最上段の用紙から順にその用紙の下段にある用紙を１枚ずつ切り離して使用するものである。また、用紙を切り離すと、切り離す用紙に表示されている月のｎか月後の月（新しく表示される月）が表示されるものである。
これにより、新しく表示される月は上段から下段に向かって順番に表示されることから、カレンダーを上から下に見て月を確認することができるため、見易い月めくりカレンダーを提供することができる。また、カレンダーの日付欄にメモ記入欄を設けることにより、カレンダーに表示される数か月先のスケジュールも容易に確認することができる。
【図面の簡単な説明】
【００１０】
【図１】本発明の月めくりカレンダーを構成する各頁の紙を表わす図である。
【図２】図１の月めくりカレンダーの使用状態を表わす図である。
【図３】本発明の月めくりカレンダーを構成する各頁の紙を表わす図である。
【図４】図３の月めくりカレンダーの使用状態を表わす図である。
【図５】本発明の月めくりカレンダーを構成する各頁の紙を表わす図である。
【図６】図５の月めくりカレンダーの使用状態を表わす図である。
【図７】月めくりカレンダーの一月分を表示する用紙を表わす図である。
【図８】従来の月めくりカレンダーを表わす図である。
【図９】図８の月めくりカレンダーの使用状態を表わす図である。
【発明を実施するための形態】
【００１１】
本発明は、数か月分を同時に表示できる月めくりカレンダーにおいて、新しく表示される月がカレンダーの上段から下段に向かって順番に表示させることを実現するものである。
【実施例】
【００１２】
本発明の月めくりカレンダーを図に基づいて説明する。図１、図３、及び図５は、本発明の月めくりカレンダーを構成する各頁の紙を表わす図である。図２、図４、及び図６は、図１、図３、図５の月めくりカレンダーの使用状態を表わす図である。図１〜図６の月めくりカレンダーは、壁掛け用カレンダーの実施例である。また、図１〜図６において、用紙１２の切り離し部分にはミシン目２０が設けられており、紙Ｐ１，Ｐ２，…，Ｐ７の上部には、紙Ｐ１，Ｐ２，…，Ｐ７の綴じ代１４ｂが形成されている。なお、図１〜図６において、図７乃至図９の参照番号と同一の参照番号を記す構成部は、図７乃至図９の構成部と同じものとする。
本発明の月めくりカレンダーは、ｎか月分の月を同時に表示するものであり、第１頁が一月分の日付を表示した用紙１枚の紙からなり、第２頁、…、第ｎ頁がそれぞれ前記用紙を２枚、…、ｎ枚連ねた紙からなり、第ｎ＋１頁以降の頁が前記用紙をｎ枚連ねた紙からなるカレンダーであって、前記用紙を切り離したときに表れる用紙に、その切り離した用紙に表示される月のｎか月後の月を表示するものである。なお、本発明の月めくりカレンダーにおいて、ｎは３以上の整数である。
【００１３】
本発明の月めくりカレンダーにおいて、ｎが３の場合について、図１及び図２に基づいて説明する。
図１及び図２の月めくりカレンダー２２は、全６頁Ｐ１，Ｐ２，…，Ｐ６から構成されるものであり、３か月分の月を同時に表示するカレンダーである。
月めくりカレンダー２２は、第１頁が「１月」の日付を表示した用紙１２のみからなる紙Ｐ１（図１（ａ））からなり、第２頁が「４月」，「２月」の日付を表示した各用紙１２を連ねた紙Ｐ２（図１（ｂ））からなり、第３頁が「７月」，「５月」，「３月」の日付を表示した各用紙１２を連ねた紙Ｐ３（図１（ｃ））からなり、第４頁が「１０月」，「８月」，「６月」の日付を表示した各用紙１２を連ねた紙Ｐ４（図１（ｄ））からなり、第５頁が翌年の「１月」，当年の「１１月」，「９月」の日付を表示した各用紙１２を連ねた紙Ｐ５（図１（ｅ））からなり、第６頁が日付が表示されていない用紙１２、翌年の「２月」，当年の「１２月」の日付を表示した各用紙１２を連ねた紙Ｐ６（図１（ｆ））からなるものである。
【００１４】
月めくりカレンダー２２は、用紙１２を切り離したときに表れる用紙１２に、その切り離した用紙１２に表示される月の３か月後の月を表示するものである（図２）。
図２の月めくりカレンダー２２において、図（ａ）は、全６頁Ｐ１，Ｐ２，…，Ｐ６を重ねて綴じ部１４に綴じた状態を表わすものである。第１頁Ｐ１すなわち「１月」を表示する用紙１２を切り離すと、その月の３か月後の月「４月」の月が表れる（図２（ｂ））。次に、「１月」を表示する用紙１２の下段の用紙１２（「２月」を表示する用紙１２）を切り離すと、「５月」の月が表れる（図２（ｃ））。次に、「２月」を表示する用紙１２の下段の用紙１２（「３月」を表示する用紙１２）を切り離すと、「６月」の月が表れる（図２（ｄ））。
以上のように、本発明の月めくりカレンダー２２では、上段の用紙１２からその用紙１２の下段の用紙１２を切り離すことにより、新しく表示される月がカレンダー２２の上段から下段に向かって順番に表示させることができる。これにより、月めくりカレンダーを上から下に見て月を確認することができるため、見易い月めくりカレンダーを提供することができる。
【００１５】
続いて、本発明の月めくりカレンダーにおいて、ｎが４の場合について、図３及び図４に基づいて説明する。
図３及び図４の月めくりカレンダー２４は、全６頁Ｐ１，Ｐ２，…，Ｐ６から構成されるものであり、４か月分の月を同時に表示するカレンダーである。
月めくりカレンダー２４は、第１頁が「１月」の日付を表示した用紙１２のみからなる紙Ｐ１（図３（ａ））からなり、第２頁が「５月」，「２月」の日付を表示した各用紙１２を連ねた紙Ｐ２（図３（ｂ））からなり、第３頁が「９月」，「６月」，「３月」の日付を表示した各用紙１２を連ねた紙Ｐ３（図３（ｃ））からなり、第４頁が翌年の「１月」，当年の「１０月」，「７月」，「４月」の日付を表示した各用紙１２を連ねた紙Ｐ４（図３（ｄ））からなり、第５頁が日付が表示されていない用紙１２、翌年の「２月」，当年の「１１月」，「８月」の日付を表示した各用紙１２を連ねた紙Ｐ５（図３（ｅ））からなり、第６頁が日付が表示されていない２枚の用紙１２、翌年の「３月」，当年の「１２月」の日付を表示した各用紙１２を連ねた紙Ｐ６（図３（ｆ））からなるものである。
【００１６】
月めくりカレンダー２４は、用紙１２を切り離したときに表れる用紙１２に、その切り離した用紙１２に表示される月の４か月後の月を表示するものである（図４）。
図４の月めくりカレンダー２４において、図（ａ）は全６頁Ｐ１，Ｐ２，…，Ｐ６を重ねて綴じ部１４に綴じた状態を表わすものである。第１頁Ｐ１すなわち「１月」を表示する用紙１２を切り離すと、その月の４か月後の月「５月」の月が表れる（図４（ｂ））。次に、「１月」を表示する用紙１２の下段の用紙１２（「２月」を表示する用紙１２）を切り離すと、「６月」の月が表れる（図４（ｃ））。次に、「２月」を表示する用紙１２の下段の用紙１２（「３月」を表示する用紙１２）を切り離すと、「７月」の月が表れる（図４（ｄ））。次に、「３月」を表示する用紙１２の下段の用紙１２（「４月」を表示する用紙１２）を切り離すと、「８月」の月が表れる（図４（ｅ））。
以上のように、本発明の月めくりカレンダー２４では、上段の用紙１２からその用紙１２の下段の用紙１２を切り離すことにより、新しく表示される月がカレンダー２４の上段から下段に向かって順番に表示させることができる。これにより、月めくりカレンダーを上から下に見て月を確認することができるため、見易い月めくりカレンダーを提供することができる。
【００１７】
続いて、本発明の月めくりカレンダーにおいて、ｎが６の場合について、図５及び図６に基づいて説明する。
図５及び図６の月めくりカレンダー２６は、全７頁Ｐ１，Ｐ２，…，Ｐ７から構成されるものであり、６か月分の月を同時に表示するカレンダーである。
月めくりカレンダー２６は、第１頁が「１月」の日付を表示した用紙１２のみからなる紙Ｐ１（図５（ａ））からなり、第２頁が「７月」，「２月」の日付を表示した各用紙１２を連ねた紙Ｐ２（図５（ｂ））からなり、第３頁が翌年の「１月」，当年の「８月」，「３月」の日付を表示した各用紙１２を連ねた紙Ｐ３（図５（ｃ））からなり、第４頁が日付が表示されていない１枚の用紙１２、翌年の「２月」，当年の「９月」，「４月」の日付を表示した各用紙１２を連ねた紙Ｐ４（図５（ｄ））からなり、第５頁が日付が表示されていない２枚の用紙１２、翌年の「３月」，当年の「１０月」，「５月」の日付を表示した各用紙１２を連ねた紙Ｐ５（図５（ｅ））からなり、第６頁が日付が表示されていない３枚の用紙１２、翌年の「４月」，当年の「１１月」，「６月」の日付を表示した各用紙１２を連ねた紙Ｐ６（図５（ｆ））からなり、第７頁が日付が表示されていない４枚の用紙１２、翌年の「５月」，当年の「１２月」の日付を表示した各用紙１２を連ねた紙Ｐ７（図５（ｇ））からなるものである。
【００１８】
月めくりカレンダー２６は、用紙１２を切り離したときに表れる用紙１２に、その切り離した用紙１２に表示される月の６か月後の月を表示するものである（図６）。
図６の月めくりカレンダー２６において、図（ａ）は全７頁Ｐ１，Ｐ２，…，Ｐ７を重ねて綴じ部１４に綴じた状態を表わすものである。第１頁Ｐ１すなわち「１月」を表示する用紙１２を切り離すと、その月の６か月後の月「７月」の月が表れる（図６（ｂ））。次に、「１月」を表示する用紙１２の下段の用紙１２（「２月」を表示する用紙１２）を切り離すと、「８月」の月が表れる（図６（ｃ））。次に、「２月」を表示する用紙１２の下段の用紙１２（「３月」を表示する用紙１２）を切り離すと、「９月」の月が表れる（図６（ｄ））。次に、「３月」を表示する用紙１２の下段の用紙１２（「４月」を表示する用紙１２）を切り離すと、「１０月」の月が表れる（図６（ｅ））。次に、「４月」を表示する用紙１２の下段の用紙１２（「５月」を表示する用紙１２）を切り離すと、「１１月」の月が表れる（図６（ｆ））。次に、「５月」を表示する用紙１２の下段の用紙１２（「６月」を表示する用紙１２）を切り離すと、「１２月」の月が表れる（図６（ｇ））。
以上のように、本発明の月めくりカレンダー２６では、上段の用紙１２からその用紙１２の下段の用紙１２を切り離すことにより、新しく表示される月がカレンダー２６の上段から下段に向かって順番に表示させることができる。これにより、月めくりカレンダーを上から下に見て月を確認することができるため、見易い月めくりカレンダーを提供することができる。
【００１９】
本発明の月めくりカレンダー２２、２４、２６は、用紙１２を切り離すことにより、新しい月を表示するものである。従って、本発明の月めくりカレンダー２２、２４、２６では、用紙１２を１枚めくることにより、数か月先の月（すなわち用紙１２を切り離すことにより新しく表示される月）の日付を容易に確認することもできる。また、本発明のカレンダー２２、２４、２６の日付欄にメモ記入欄を設けた場合、その数か月先の月の日付を表示した用紙１２に容易にスケジュールを書き込むこともできる。
例えば、本発明のカレンダー２６では、「１月」乃至「６月」の日付を表示する各用紙１２をめくるだけで、「７月」乃至「１２月」の日付の確認およびスケジュールの書き込みを極めて簡単に行うことができる。なお、特許文献１に記載のカレンダ（図８及び図９のカレンダー）では、紙Ｘ１をめくり上げなければ、「５月」，「６月」の日付の確認およびスケジュールの書き込みを行うことできず、不便である。
【００２０】
上記実施例では、壁掛け用カレンダーを例示したが、これに限るものではない。携帯用として利用してもよい。
【符号の説明】
【００２１】
１２  用紙
１６  日付欄
１８  メモ記入欄
２２，２４，２６  月めくりカレンダー
Ｐ１，…，Ｐ７  紙
【図１】
2013119185.tif 000003
【図２】
2013119185.tif 000004
【図３】
2013119185.tif 000005
【図４】
2013119185.tif 000006
【図５】
2013119185.tif 000007
【図６】
2013119185.tif 000008
【図７】
2013119185.tif 000009
【図８】
2013119185.tif 000010
【図９】
2013119185.tif 000011